(57)【特許請求の範囲】
【請求項１】
容器を傾けることにより液体を注ぐ液体容器において、水切り部と水注ぎ部との間に皿状に形成された水引き戻し部を設け、前記水引き戻し部の奥行きは前記水切り部の幅よりも大きくすることにより前記水引き戻し部の面積が前記水切り部の面積より大きく形成され、前記水引き戻し部の傾斜角よりも前記水注ぎ部の傾斜角を急角度にし、前記水引き戻し部の傾斜角を液体容器の直立状態における水平線より１０度〜３０度の範囲としたことを特徴とする液体容器の注ぎ口。
【請求項２】
前記水切り部と前記水引き戻し部との角度が９０度〜１３０度の範囲で、前記水切り部の幅が１〜４ｍｍの範囲であることを特徴とする請求項１の液体容器の注ぎ口。
【発明の詳細な説明】
【技術分野】
【０００１】
本発明は、注ぎ口を有する液体容器に係り、液垂れを防止した注ぎ口の構造に関する。
【背景技術】
【０００２】
従来、コーヒーポット、ティーポット、ミルクピッチャー又は急須等の注ぎ口を有する液体容器は、液体容器内の内容液をカップ等に注いでいる最中や、注ぎ終わった後に、内容液が注ぎ口の先端から容器本体を伝って流下してしまい、容器本体の外面および載置台上を汚してしまうという問題があった。そこで、こうした内容液の液垂れを防止すべく、注ぎ口の構造に工夫を凝らしたものとしては、注ぎ口の先端より下方位置に受け皿部を設けて液留めするもの（例えば特許文献１）や、注ぎ口の先端より下方位置に流入口、或は貫通孔を設けて注ぎ口の先端から外側に流れた内容液を再び容器本体内に戻すもの（例えば特許文献２、３）が開示されている。
【０００３】
また、付属品を注ぎ口の先端に取り付けることで、液切れを確実に行えるとしたものや、注ぎ口の径よりも小径な付属品を装着することで内容液が付属品を伝っても付属品との隙間から吸収させて液垂れを防止するとしたもの等（例えば特許文献３〜６）が種々の構成で知られている。
【先行技術文献】
【特許文献】
【０００４】
【特許文献１】実開昭４９−７３６８５号公報
【特許文献２】実開昭６２−１３００２７号公報
【特許文献３】特開平１０−２６２７９８号公報
【特許文献４】実願平１０−８０２５号公報
【特許文献５】特開２００７−２１５９９５号公報
【特許文献６】特開２００９−２３４６６２号公報
【発明の概要】
【発明が解決しようとする課題】
【０００５】
しかしながら、特許文献１のような例では、液垂れにより流下してきた内容液を、受け皿部により一時的に留めることはできるが、使用する度に受け皿部に付着した内容液を拭き取る必要があり、液垂れした内容液の量が多い場合には、受け皿部により受けきれない虞がある。また、特許文献２や特許文献３のような例では、流入口、或は貫通孔の外端部から液垂れを引き起こす可能性があるほか、流入口内、或は貫通孔内が洗浄し難いため不衛生となる虞がある。また、特許文献３〜６のような例では、使用前に付属品を装着し、使用後に取り外して洗浄する手間が必要になり、正確に装着されない場合に液漏れの虞がある。
【０００６】
そもそも、上記特許文献は、何れも注ぎ口から液垂れするという問題を根本的に解消するものではなく、例えば、内容液が注ぎ口の先端部に付着した場合には、付着した内容液が注ぎ口より外側に流れてしまい液垂れする可能性があり、その効果は必ずしも顕著ではなく、更なる改良が切望されていた。
【０００７】
そこで、本発明が解決しようとする課題は、注ぎ口の先端部で液切れを確実に行い、仮に注ぎ口の先端に内容液が付着した場合にあっても、内容液を注ぎ口の先端から外側に流れないよう内側に引き戻すことができる液体容器の注ぎ口構造を提供することである。
【課題を解決するための手段】
【０００８】
請求項１の発明の液体容器の注ぎ口は、容器を傾けることにより液体を注ぐ液体容器において、水切り部と水注ぎ部との間に皿状に形成された水引き戻し部を設け、前記水引き戻し部の奥行きは前記水切り部の幅よりも大きくすることにより前記水引き戻し部の面積が前記水切り部の面積より大きく形成され、前記水引き戻し部の傾斜角よりも前記水注ぎ部の傾斜角を急角度にし、前記水引き戻し部の傾斜角を液体容器の直立状態における水平線より１０度〜３０度の範囲としたことを特徴とする。
【０００９】
請求項２の発明の液体容器の注ぎ口体は、請求項１において、前記水切り部と前記水引き戻し部との角度が９０度〜１３０度の範囲で、前記水切り部の幅が１〜４ｍｍの範囲であることを特徴とする。
【発明の効果】
【００１０】
請求項１の発明によれば、水引き戻し部を水注ぎ部と水切り部の間に設けたことで、注ぎ終わる直前の液体が水切り部に残り難く、水切り部に液体が残った場合にあっても、残った液体を水引き戻し部側に引き戻すことができるので、液体が水切り部より外側に流れて生じる液垂れを確実に防止できる。しかも、注ぎ口５の最下部に位置する液流路の出口16から流入してきた内容液が、水注ぎ部７に一度当たるので、水注ぎ部７に流入してきた内容液の流速を落とすことができ、内容液を安定した流れにして注ぐことができる。
【００１１】
請求項２の発明によれば、液切れが確実に行われるので、水切り部に液体が残り難く、残った場合にあっても僅かな液量であるため、水引き戻し部により液垂れを確実に防止できる。
【発明を実施するための形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１３】
以下、実施例１を図１〜７に基づいて説明する。図１は、本発明に係るコーヒーメーカー用液体容器１を示している。液体容器１は、上部に開口部２を有する容器本体３と、前記開口部２に着脱自在に装着される栓体４と、前記開口部２の一側に設けられた注ぎ口５と、前記注ぎ口５と対向する他側に設けられた把持部６とを備えている。
【００１４】
本発明に係る液体容器１が備える注ぎ口５は、一側である先端側から他側に向かって斜め下方に傾斜する水注ぎ部７と、前記水注ぎ部７の一側に連続して形成される皿状の水引き戻し部８と、前記水引き戻し部８の一側に連続して形成される水切り部９とを備え、平面視において他側から一側に向かい先細り状に形成されている。そして、注ぎ口５を構成する水注ぎ部７と、水引き戻し部８と、水切り部９とは、何れも異なる傾斜角で傾斜し、水引き戻し部８は水注ぎ部７と接続する他端が下方位置となるよう傾斜し、水切り部９は上端部10よりも下端部11が外側に突出するように傾斜している。また、栓体４は、有底筒状に形成される栓体本体12と、前記栓体本体12の上部に被着される蓋体13と、前記蓋体13の中央に設けられる略半円状のボタンから成る第一の操作部材14と、他側に設けられる舌片状のレバーから成る第二の操作部材15とを備え、使用者が前記第一の操作部材14又は前記第二の操作部材15の何れかを下方へ押圧することで栓体４が開栓状態となる。そして、使用者は、開栓状態を保持したまま液体容器１を注ぎ口５が設けられる一側に傾けていくことにより、容器本体３内に貯留される内容液を、栓体４内に形成される液流路（図示せず）に流入させ、液流路の出口16と接続する注ぎ口５から流出させて、カップ等に注ぐことができる。
【００１５】
ここで、図４に示すように、注ぎ口５は、注いでいる時に内容液の流れに乱れが生じないようにするために、水引き戻し部８が水平線Ｘ１に対して傾斜する傾斜角α１よりも、水注ぎ部７の傾斜角α２を大きくしている。内容液の流れが乱れた状態では、内容液が水切り部９より液垂れを引き起こす虞があるが、水引き戻し部８の傾斜角α１よりも水注ぎ部７の傾斜角α２を急角度にしたことにより、注ぎ口５の最下部に位置する液流路の出口16から流入してきた内容液が、水注ぎ部７に一度当たるので、水注ぎ部７に流入してきた内容液の流速を落とすことができ、内容液を安定した流れにして注ぐことができる。
【００１６】
注ぎ終わる時には、水切り部９の傾斜面17に内容液が付着して残り、この水切り部９に付着した最後の一滴ともいえる内容液が、水切り部９の外側に流れれば液垂れを引き起こし、容器本体３側である内側に流れれば液垂れすることはないので、本発明では水切り部９の上端部10に連続する水引き戻し部８を設けて、水切り部９に残存する内容液を水引き戻し部８の内容液に表面張力で引きつけさせるようにしている。
【００１７】
水引き戻し部８の傾斜角α１は、液体容器１が直立状態の水平線より１０度〜３０度程度の角度で傾斜している。この傾斜角α１は、注ぎ終わる時、すなわち液体容器１を傾斜状態から直立状態に移行している時に、水引き戻し部８上の内容液が残存する角度であり、且つ液体容器１が直立状態となった時に、水引き戻し部８上に残存していた内容液が水注ぎ部７側へ確実に流れる角度である。これにより、使用者が内容液をカップ等に注ぎ終わる時には、液体容器１の傾斜状態から直立状態へ移行する途中で、水引き戻し部８上に残存した内容液が、水切り部９に付着した内容液を表面張力により引きつけて、水切り部９側の内容液が外側に流れてしまうのを防ぐことができる。そして、液体容器１が直立状態に移行するに従い、水切り部９に付着した内容液は水引き戻し部８上の内容液に吸収されるようにして、共に水注ぎ部７側へと流れ、容器本体３内へと戻すことができる。また、水引き戻し部８の水切り部９に接続する一側から、水注ぎ部７に接続する他側にかけての長さ、所謂奥行きＡは、水切り部９の上端部10から下端部11にかけての幅Ｂよりも大きく設けている。これにより水引き戻し部８の面積が水切り部９の面積よりも大きくなるため、残存する内容液が水切り部９よりも水引き戻し部８の方が多くなり、表面張力が働いた時に水引き戻し部８側に内容液が戻り易くなる。尚、水引き戻し部８の傾斜角α１は１０度〜３０度程度と説明したが、上記した水注ぎ部７の傾斜角α２は、設定された傾斜角α１よりも大きい２５度〜４５度程度であるものとする。
【００１８】
また、水切り部９は、上端部10から下端部11にかけての幅Ｂが長いと、水切り部９に残存する内容液の液量が多くなり水引き戻し部８に戻り難くなるので、幅Ｂは短く形成されている。ただし、幅Ｂが極端に短いと、内容液が水切り部９の下方に廻り込み易くなり液垂れし易くなるため、幅Ｂは少なくとも１ｍｍ以上で形成されるものとする。
【００１９】
図５に示すように、使用者が内容液を注ぎ終わる瞬間は、液体容器１が傾斜状態であり、水引き戻し部８は水平線Ｘ２上に略水平となる。この時、水切り部９の傾斜角α３が、水平線Ｘ２に直交する垂直線Ｙに対して小さい程、注ぎ終わる時に残存する内容液が外側へ落下し易くなり、水切り部９に残存する内容液の液量が少なくなる。逆に、傾斜角α３が、垂直線Ｙに対して大きい程、注ぎ終わる時に残存する内容液が外側へ落下し難くなり、水切り部９に残存する内容液の液量が多くなる。水切り部９に残存する液量が多い程、液垂れし易いことから、水切り部９の傾斜角α３は小さくすることが望ましい。しかしながら、水切り部９に残った内容液が少量とはいえ水引き戻し部８側に引き戻せなければ、結局は液垂れしてしまうため、水切り部９の傾斜角α３は、水引き戻し部８により内容液が戻り易い角度、すなわち水引き戻し部８と水切り部９とが水平に近い角度であって、水切り部９に残る液量が少ない角度に設定する必要がある。
【００２０】
そこで、容器本体３内の内容液が水で、水切り部９に残る水と、水引き戻し部８に残る水との間の表面張力以外の力は動かないものとして、水切り部９に残る水を引き戻すことができる角度を求めるものとする。
【００２１】
水２０度での表面張力を７３×１０−３［Ｎ／ｍ］として、注ぎ終わる時の水切り部９に残る水を球とし、半径をＬ、水切り部９に残る水と水引き戻し部８に残る水は接触線Ｃの長さ２Ｌ［ｍｍ］の範囲で接触していると仮定し、水引き戻し部８に残る水による水切り部９に残る水に対する力をＦとして、次式より求める。
【００２２】
【数１】
0005451813.tif 000002
【００２３】
そして、水滴に働く重力をＧ１として、水切り部９の水滴の重量による水切り部９の面と平行方向に働く力Ｇ２を、次式より求める。
【００２４】
【数２】
0005451813.tif 000003
【００２５】
上記、数式によりＦ＞Ｇ２であれば、水切り部９の水滴は水引き戻し部８の水に引かれて落ちないことになる。また、水滴の容量を４πＬ３／３［ｍｍ］、幅Ｂが２ｍｍの時の水滴半径Ｌを２ｍｍ、水切り部９の水と水引き戻し部８の水とが接触する範囲を４ｍｍとして、水切り部９の水滴が水引き戻し部８の水に引きつけられて垂れない限界の状態、すなわちＦ＝Ｇ２を算出すると、α３≒２７度となる。
【００２６】
これにより、水切り部９の角度α３は２７度、水切り部９の角度α３に水引き戻し部８の角度９０度を加えた角度α４は１１７度に近い値であれば表面張力により水切り部９上に保つことができ、これらより大きい角度であれば液垂れを確実に防止できることとなる。ただし、α４が大きいと水切り部９の先端に残る水滴が大きくなり、水引き戻し部に戻り難くなるので、α４は１１７度に近い値とするのが望ましい。また、上記計算では水切り部９の幅Ｂを２ｍｍとして計算したが、幅Ｂが大きくなるに伴い水滴も大きくなるので、幅Ｂはできる限り小さくするのが望ましい。尚、水切り部９の水滴は、水切り部９の表面である傾斜面17にも表面張力により引かれるため、水切り部９の角度αは２７度よりも若干小さい角度となる。
【００２７】
そして、水引き戻し部８の角度α１が１０〜３０度である時に、水切り部９の角度α３に水引き戻し部８の角度を加えた角度α４および水切り部９の幅Ｂを変化させて、液垂れしない角度を実験により求めたところ、水切り部９の角度α３に水引き戻し部８の角度９０度を加えた角度α４は１１０度付近が最も液垂れし難く、水切り部９の角度に水引き戻し部８の角度を加えた角度が９０度以下、或は１３０度以上では液垂れし易くなった。また、水切り部９の幅Ｂは、２ｍｍ付近が最も液垂れし難く安定しており、１ｍｍ以下、或は４ｍｍ以上では液垂れし易くなった。尚、実験結果は、材質、材料表面の状態、液体の粘度、又は注ぎ口５の形状等の諸条件により若干異なる場合がある。
【００２８】
以上のように、本実施例では、容器を傾けることにより液体を注ぐ液体容器１において、水切り部９と水注ぎ部７との間に皿状に形成された水引き戻し部８を設け、水引き戻し部８の奥行きＡは水切り部９の幅Ｂよりも大きくすることにより水引き戻し部８の面積が水切り部９の面積より大きく形成され、水引き戻し部８の角度α１よりも水注ぎ部７の傾斜角α２を急角度にし、水引き戻し部８の傾斜角α１を液体容器１の直立状態における水平線Ｘ１より１０度〜３０度の範囲としたことで、注ぎ終わる直前の液体が水切り部９に残り難く、水切り部９に液体が残った場合にあっても、残った液体を水引き戻し部８側に引き戻すことができるので、液体が水切り部９より外側に流れて生じる液垂れを確実に防止できる。しかも、注ぎ口５の最下部に位置する液流路の出口16から流入してきた内容液が、水注ぎ部７に一度当たるので、水注ぎ部７に流入してきた内容液の流速を落とすことができ、内容液を安定した流れにして注ぐことができる。
【００２９】
また、水切り部９と水引き戻し部８との角度が９０度〜１３０度の範囲で、水切り部９の幅Ｂが１〜４ｍｍの範囲で形成されることで、液切れが確実に行われるので、水切り部９に液体が残り難く、残った場合にあっても僅かな液量であるため、水引き戻し部８により液垂れを確実に防止できる。
【図面の簡単な説明】
【００３０】
【図１】本発明の実施例１を示す液体容器の正面図である。
【図２】本発明の実施例１を示す液体容器の平面図である。
【図３】本発明の実施例１を示す液体容器の部分拡大断面図である。
【図４】本発明の実施例１を示す直立状態の部分断面図である。
【図５】本発明の実施例１を示す傾斜状態の部分断面図である。
【図６】本発明の実施例１を示す内容液が残った状態の平面図である。
【図７】本発明の実施例１を示す内容液が残った状態の正面図である。
【符号の説明】
【００３１】
１  液体容器
３  容器本体
４  栓体
５  注ぎ口
７  水注ぎ部
８  水引き戻し部
９  水切り部
10  上端部
11  下端部
【図１】
0005451813.tif 000004
【図２】
0005451813.tif 000005
【図３】
0005451813.tif 000006
【図４】
0005451813.tif 000007
【図５】
0005451813.tif 000008
【図６】
0005451813.tif 000009
【図７】
0005451813.tif 000010